(57)【特許請求の範囲】
【請求項１】
胴部（２）の上端に口筒部（３）を立設した容器本体（１）と、
前記口筒部（３）を螺合着脱により開閉するキャップ体（９）と、
前記容器本体（１）と前記キャップ体（９）の組み合わせ物に対して空転不能に設けられた、不正開封防止機能部分を構成する筒状のカバー筒体（１５）を有する容器であり、
前記カバー筒体（１５）は、
前記キャップ体（９）を囲繞して全高さ範囲に亘って覆うと共に、破断し易い連結部（１８）を介して前記容器本体（１）と前記キャップ体（９）の組み合わせ物に連結されており、
前記口筒部（３）の外面には、前記カバー筒体（１５）の内周面側へ突出する係止突片（８）が設けられ、
前記カバー筒体（１５）の前記内周面には、前記口筒部（３）側へ突出する係止片（１９）が設けられ、
前記係止片（１９）は、前記係止突片（８）に対して周方向から乗り越え不能に係止され、
前記カバー筒体（１５）の上端は前記キャップ体（９）の上端より高くなるように設けられ、さらに高さ方向に沿って破断し易い弱化部（１６）を設けて構成した、
ことを特徴とする不正開封防止機能を備えたキャップ付き容器。
【請求項２】
弱化部（１６）を、カバー筒体（１５）の全高さ範囲に亘って縦断状に設けた請求項１に記載の不正開封防止機能を備えたキャップ付き容器。
【請求項３】
連結部（１８）を複数の破断し易い連結片で構成した請求項１または２に記載の不正開封防止機能を備えたキャップ付き容器。
【請求項４】
カバー筒体（１５）に、一対の弱化部（１６）を並列に設けて、指先で摘み易い破断片（１７）を形成した請求項１〜３の何れか１項に記載の不正開封防止機能を備えたキャップ付き容器。
【請求項５】
カバー筒体（１５）を、連結部（１８）を介して容器本体（１）に一体設した請求項１〜４の何れか１項に記載の不正開封防止機能を備えたキャップ付き容器。
【請求項６】
胴部（２）の上端に口筒部（３）を立設した容器本体（１）と、前記口筒部（３）を螺合着脱により開閉するキャップ体（９）と、前記容器本体（１）とキャップ体（９）の組み合わせ物に対して空転不能に設けられた、不正開封防止機能部分を構成する筒状のカバー筒体（１５）を有する容器であり、前記カバー筒体（１５）は、前記キャップ体（９）を囲繞して全高さ範囲に亘って覆うと共に、破断し易い連結部（１８）を介して容器本体（１）とキャップ体（９）の組み合わせ物に連結されており、さらに高さ方向に沿って破断し易い弱化部（１６）を設けて構成し、
カバー筒体（１５）を、連結部（１８）を介してキャップ体（９）に一体設すると共に、容器本体（１）に設けた係止突片（８）に対して、カバー筒体（１５）に設けた係止片（１９）を、周方向から乗り越え不能に係止させたことを特徴とする、不正開封防止機能を備えたキャップ付き容器。
【発明の詳細な説明】
【技術分野】
【０００１】
本発明は、蓋体が不正に開封されたことが一目でわかるような構造にした不正開封防止機能を備えたキャップ付き容器に関するものである。
【背景技術】
【０００２】
液状内容物の収納に適したボトル状容器や、練り状内容物の収納に適したチューブ状容器において、流通過程、特に店頭に並べられた状態で、キャップが不正に開封され不正行為がなされて、キャップが閉められると、この不正を購入者が察知できない恐れがある。そこで、最初に開封しようとしてキャップを開ける時には容器の一部が破断されて、開封されたことが一目で分かるようにして、容器の不正な開封を防止できるようにした不正開封防止機能を備えたキャップ付き容器の従来技術として、特開２００２−０８７４５２号公報に示されたものがある。
【０００３】
この従来技術に示された技術は、一般にピルファープルーフキャップと称される不正開封防止機能付きのキャップを容器本体に組み合わせたもので、ネジキャップ状に構成されたキャップの本体部分の下端に、容器本体に対して抜け出し不能に組付いたタンバーエビデンスバンドを、破断可能なブリッジを介して一体に連結し、このブリッジの破断の有無により、容器が既に開封されたものであるか否かを判断できるようにしている。
【先行技術文献】
【特許文献】
【０００４】
【特許文献１】特開２００２−０８７４５２号公報
【発明の概要】
【発明が解決しようとする課題】
【０００５】
しかしながら、この従来技術にあっては、容器が既に開封されたか否かの判断は、キャップの本体部分とタンバーエビデンスバンドが分離しているか否かにより判断するのであるが、ブリッジが破断していても、タンバーエビデンスバンドが容器本体に組付いた状態のままだと、キャップの本体部分とタンバーエビデンスバンドの分離が判断し難い。このため、キャップの本体部分とタンバーエビデンスバンドの結合状態を注意して観察する必要があり、不正開封の有無を一瞥で判断できない場合がある、と云う点に改良の余地があった。また、タンバーエビデンスバンドが分離している場合であっても、キャップの主体部分、すなわちネジキャップ部分の外観体裁には変わりがないので、全体としての外観体裁に大きな違いがなく、このため不正開封表示状態を見逃す場合がある、と云う点に改良の余地があった。
【０００６】
そこで、本発明は、上記した従来技術を改善すべく創案されたもので、不正開封防止機能部分の作動状態と非作動状態との差異を、外観体裁の大きな変化として現出させることを技術的課題とし、もって不正開封防止機能部分の明確で安定した作用を発揮させることを目的とするものである。
【課題を解決するための手段】
【０００７】
上記課題を解決する本発明の手段の主たる構成は、
胴部の上端に口筒部を立設した容器本体と、口筒部を螺合着脱により開閉するキャップ体と、容器本体とキャップ体の組み合わせ物に対して空転不能に設けられた、不正開封防止機能部分を構成する筒状のカバー筒体を有する容器であり、カバー筒体は、キャップ体を囲繞して全高さ範囲に亘って覆うと共に、破断し易い連結部を介して容器本体とキャップ体の組み合わせ物に連結されており、口筒部の外面には、カバー筒体の内周面側へ突出する係止突片が設けられ、カバー筒体の内周面には、口筒部側へ突出する係止片が設けられ、係止片は、係止突片に対して周方向から乗り越え不能に係止され、カバー筒体の上端はキャップ体の上端より高くなるように設けられ、さらに高さ方向に沿って破断し易い弱化部を設けた構成であること、にある。
【０００８】
容器本体とキャップ体の組み合わせ物に対して、不正開封防止機能部分を構成するカバー筒体が、キャップ体を覆い隠す状態で組付いているので、未開封状態の容器の外観体裁は、容器本体の胴部の上にカバー筒体が位置するものとなり、キャップ体が外観体裁の一部を形成することはないと共に、キャップ体の開封操作を規制している。また、係止片は、係止突片に対して周方向から乗り越え不能に係止されるので、カバー筒体は、容器本体とキャップ体の組み合わせ物に対して空転不能となる。このため、カバー筒体と一緒にキャップ体を強引に回動させようとすると、破断し易い連結部が破断してしまい、容器本体とキャップ体の組み合わせ物に対するカバー筒体の組付き状態に大きな歪みが生じることになる。
【０００９】
この未開封状態から開封状態とするには、弱化部によりカバー筒体を縦割り状に開放しながら連結部を破断して、容器本体とキャップ体の組み合わせ物からカバー筒体を除去してキャップ体を露出させ、この露出したキャップ体を開封する。すなわち、容器が開封状態となるには、カバー筒体を除去すると共に、キャップ体を露出させる状態とし、カバー筒体に代わってキャップ体が容器の外観体裁の主要部分を形成することになる。
【００１０】
本発明の別の構成は、上記した主たる構成に、弱化部を、カバー筒体の全高さ範囲に亘って縦断状に設けた、ことを加えたものである。
【００１１】
弱化部を、カバー筒体の全高さ範囲に亘って縦断状に設けたものにあっては、カバー筒体を縦割り状に開放する操作が容易となる。
【００１２】
また、本発明の別の構成は、上記した主たる構成に、連結部を複数の破断し易い連結片で構成した、ことを加えたものである。
【００１３】
連結部を複数の破断し易い連結片で構成したものにあっては、破断し易い連結部を簡単に得ることができる。
【００１４】
また、本発明の別の構成は、上記した主たる構成に、カバー筒体に、一対の弱化部を並列に設けて、指先で摘み易い破断片を形成した、ことを加えたものである。
【００１５】
カバー筒体に破断片を形成したものにあっては、破断片の上端を指先で摘んで外方に引っ張ることにより、一対の弱化部が破断して、カバー筒体が縦割り状に開放状態となるので、この状態からカバー筒体を周方向に沿って引っ張って連結部を順に破断して、カバー筒体の除去を達成する。
【００１６】
また、本発明の別の構成は、胴部の上端に口筒部を立設した容器本体と、口筒部を螺合着脱により開閉するキャップ体と、容器本体とキャップ体の組み合わせ物に対して空転不能に設けられた、不正開封防止機能部分を構成する筒状のカバー筒体を有する容器であり、前記カバー筒体は、キャップ体を囲繞して全高さ範囲に亘って覆うと共に、破断し易い連結部を介して容器本体とキャップ体の組み合わせ物に連結されており、カバー筒体の上端はキャップ体の上端より高くなるように設けられ、さらに高さ方向に沿って破断し易い弱化部を設け、カバー筒体を、連結部を介してキャップ体に一体設すると共に、容器本体に設けた係止突片に対して、カバー筒体に設けた係止片を、周方向から乗り越え不能に係止させた構成である。
【００１７】
容器本体とキャップ体の組み合わせ物に対するカバー筒体の空転不能な組付きを達成する手段として、カバー筒体を連結部によりキャップ体に一体設すると共に、容器本体に係止突片を設け、カバー筒体に係止片を設けたものにあっては、カバー筒体は、連結部によりキャップ体に対して空転不能となり、係止突片と係止片の係止により容器本体に対して空転不能となる。
【００１８】
また、本発明の別の構成は、上記した主たる構成に、カバー筒体を、連結部を介して容器本体に一体設した、ことを加えたものである。
【００１９】
容器本体とキャップ体の組み合わせ物に対するカバー筒体の空転不能な組付きを達成する手段として、カバー筒体を、連結部を介して容器本体に一体設したものにあっては、カバー筒体は連結部により容器本体に対して空転不能となり、カバー筒体がキャップ体を覆うことにより、キャップ体を不要に空転させることができないものとなっている。
【発明の効果】
【００２０】
本発明は、上記した構成となっているので、以下に示す効果を奏する。
本発明の不正開封防止機能を備えた密閉容器の主たる構成においては、容器本体とキャップ体の組み合わせ物に対して、カバー筒体を強引に回動させて、キャップ体を螺脱回動させようとすると、破断し易い連結部が破断してしまい、容器本体とキャップ体の組み合わせ物に対するカバー筒体の組付き姿勢に大きな歪みが生じることになり、この歪みが容器全体の外観体裁として目立つことになるので、この歪みによりその容器に対して不正開封操作が行われたことが、一瞥して明確に判断することができる。
【００２１】
開封後の容器は、カバー筒体に代わってキャップ体が外観体裁の主要部分を形成するので、その外観体裁は大幅に変化することになり、これにより一瞥して既に開封されたものであることを、見落としなく、明確に判断することができる。
【００２２】
また。カバー筒体がキャップ体の全高さ範囲に亘って覆っているので、カバー筒体を除去しない限り、指先によりキャップ体を直接回動操作することは不可能であり、高い不正開封防止効果を得ることができる。
【００２３】
弱化部を、カバー筒体の全高さ範囲に亘って縦断状に設けたものにあっては、カバー筒体を縦割り状に開放する操作が容易となるので、カバー筒体の除去が行い易くなる。
【００２４】
連結部を複数の破断し易い連結片で構成したものにあっては、破断し易い連結部を簡単に得ることができるので、連結部の成形が容易である。
【００２５】
カバー筒体に破断片を形成したものにあっては、破断片によりカバー筒体の縦割り状の開放処理が容易となるので、カバー筒体の除去操作、すなわち容器の開放操作が行い易くなる。
【００２６】
容器本体とキャップ体の組み合わせ物に対するカバー筒体の空転不能な組付きを達成する手段として、カバー筒体を連結片によりキャップ体に一体設すると共に、容器本体に係止突片を設け、カバー筒体に係止片を設けたものにあっては、カバー筒体は、容器本体とキャップ体の両方に空転不能に組付くことになるので、キャップ体に対する不正開封操作を確実に防止することになる。
【００２７】
容器本体とキャップ体の組み合わせ物に対するカバー筒体の空転不能な組付きを達成する手段として、カバー筒体を、連結片を介して容器本体に一体設したものにあっては、カバー筒体を除去しない限り、キャップ体に対して指先による螺脱操作を施すことがきわめて困難であるので、キャップ体に対する不正開封操作を確実に防止することになる。
【図面の簡単な説明】
【００２８】
【図１】本発明の一実施形態例を示す図で、図１（ａ）は、要部縦判断面図、図１（ｂ）は要部平面図である。
【図２】本発明の他の実施形態例を示す図で、図２（ａ）は、要部縦判断面図、図２（ｂ）は要部平面図である。
【図３】カバー筒体の縦断開放操作の状態例を示す、外観斜視図である。
【図４】本発明におけるキャップ体の容器本体に対する組付け手法の一例を示すもので、図４（ａ）は、図１に示した実施形態例、図４（ｂ）は、使用する装着具の一部縦断面図、図４（ｃ）は、使用する装着具の平面図である。
【発明を実施するための形態】
【００２９】
以下、本発明の実施形態例を、図面を参照しながら説明する。
なお、以下の実施形態例の説明では、容器本体１の胴部２に対して口筒部３が位置した側を上方とする。
【００３０】
本発明による不正開封防止機能を備えたキャップ付き容器は、内容物を収容保持する主体部分である胴部２の上端に、上方に縮径した肩部６を介して口筒部３を立設した容器本体１と、容器本体１の口筒部３に螺合により着脱して開閉するキャップ体９と、キャップ体９を囲繞して全高さ範囲に亘って覆う、不正開放防止機構部分を構成するカバー筒体１５とを有している。
【００３１】
容器本体１（以下、図１、図２参照）は、チューブ容器状となって、主に合成樹脂材料により成形されており、下端を底部で塞いだ胴部２の上端に、上方に縮径した肩部６を介して口筒部３を起立連設している。肩部６に対する口筒部３の起立設は、肩段部７を介した構造となっていて、口筒部３は肩段部７に対して小径寸法となっている。口筒部３は、下半のネジ部４と上半のノズル部５とから構成されていて、ネジ部４の外周面には雄ねじが形成されており、ノズル部５は先細のテーパー筒状となっていて、上端には小さい径の開口が形成されている。
【００３２】
キャップ体９（以下、図１、図２参照）は、円筒状の筒壁１０の上端を頂壁１１で塞いだ有頂円筒形状をしていて、筒壁１０の下半分の内周面には、容器本体１の口筒部３のネジ部４に螺合する雌ねじが形成されていて、容器本体１の口筒部３に対する螺合着脱を達成する。頂壁１１の下面には、容器本体１の口筒部３の上端に密に外嵌する高さの低いシール筒片１２と、口筒部３の上端開口部に密嵌入して、この開口部を密閉するシール栓片１３が設けられている。なお、筒壁１０の上半部分の外周面には、指先によるキャップ体９に対する回転操作を行い易くするために、多数の縦溝を並列設したローレット１４が形成されている。
【００３３】
カバー筒体１５（以下、図１、図２、図３参照）は、容器本体１に組付いたキャップ体９を囲繞して、全高さ範囲に亘って覆う円筒形状をしていて、容器本体１とキャップ体９の組み合わせ物に対して、複数の破断し易い連結片状となった連結部１８を介して空転不能に結合されており、その主体部分である円筒壁部分には、縦溝状の一対の弱化部１６が、全高さ範囲に亘って並列に形成されており、この一対の弱化部１６に挟まれた部分を、指先で摘み易い破断片１７としている。このカバー筒体１５は、容器本体１に螺着しているキャップ体９に対して、指先により直接開放回動操作ができないように、このキャップ体９を覆い隠すものであるので、キャップ体９を全周に亘って囲繞するだけではなく、全高さ範囲に亘って覆うものとなっているが、上端開放部からのキャップ体９に対する指先による不正開封操作をより確実に阻止するために、その上端は、キャップ体９の上端よりも高くなるようにしている。なお、カバー筒体１５の外周面は、一対の弱化部１６が縦溝状に縦断設されている以外は、平滑な表面（図３参照）となっている。
【００３４】
キャップ体９を口筒部３から螺脱させて容器本体１を開放するには、カバー筒体１５の破断片１７の上端を指先で摘んで外方に引っ張り（図３参照）、そのまま破断片１７を弱化部１６に沿って破断除去することにより、カバー筒体１５を縦割り状に開放し、次いで縦割り状に開かれたカバー筒体１５を周方向に沿って開放しながら連結部１８を破断して、カバー筒体１５を容器本体１とキャップ体９の組み合わせ物から除去して、キャップ体９全体を露出させ、この露出したキャップ体９を回動操作して、容器本体１を開封する。
【００３５】
キャップ体９の外周面に凹凸構造のローレット１４を形成しており、またカバー筒体１５の外周面を凹凸のない平滑面としているので、キャップ体９とカバー筒体１５は、その外観がきわめて大きく相違することになり、これにより未開封でカバー筒体１５が除去されていない状態と、開封してカバー筒体１５が除去された状態とでは、容器全体の外観体裁が著しく相違することになり、この相違により容器が開封されたものであるか否かを、一瞥して明確に判断することができる。
【００３６】
図１は、容器本体１とキャップ体９の組み合わせ物に対して、カバー筒体１５を空転不能に取り付ける一実施形態例の構成を示しており、キャップ体９の筒壁１０下端と、カバー筒体１５の下端間を連結部１８で一体に連結すると共に、容器本体１の肩段部７外周面に突設した係止突片８に対して、カバー筒体１５の内周面下端に突設した係止片１９を、乗り越え不能に係止させて構成している。この図１に示した実施形態例においては、容器本体１とカバー筒体１５の間は、係止突片８と係止片１９の乗り越え不能な係止により、空転不能となっており、またキャップ体９とカバー筒体１５の間は、連結部１８による一体結合により、空転不能になっていて、これにより容器本体１とキャップ体９の組み合わせ物に対するカバー筒体１５の空転不能な結合が達成されている。
【００３７】
図２は、容器本体１とキャップ体９の組み合わせ物に対して、カバー筒体１５を空転不能に空転不能に取り付ける他の実施形態例の構成を示しており、装着されたキャップ体９の下位に露出した容器本体１の肩段部７と、この肩段部７に外側から対向するカバー筒体１５の下端部とを、複数の連結片で構成された連結部１８で一体に連結して構成している。この図２に示した実施形態例においては、容器本体１とカバー筒体１５の間は、連結部１８による一体連結により空転不能となっている。この図２に示した実施形態例にあっては、容器本体１とカバー筒体１５を連結部１８で一体結合しただけの構成であるので、きわめて簡単な構成とすることができる。なお、図２に示した実施形態例にあっては、カバー筒体１５はキャップ体９に対して空転不能とはなっていないが、カバー筒体１５が除去されない限り、指先によりキャップ体９を不正に回動させることはできないので、不正開封防止効果は発揮されることになる。
【００３８】
図４は、キャップ体９とカバー筒体１５の組み合わせ物を、容器本体１螺着する、または容器本体１とカバー筒体１５に組み合わせ物にキャップ体９を螺着するための専用の治具である装着具２０を示したもので、図示実施形態例の場合、容器は図１に示された実施形態例、すなわちキャップ体９とカバー筒体１５の組み合わせ物を容器本体１に組付ける場合を示している。装着具２０は、円筒状の本体部分である円筒部２１の内周面に、キャップ体９の筒壁１０の外周面に多数の縦溝を並設して構成されたローレット１４に対して、周方向から係合する複数の縦突条２２を設けて構成されている。この装着具２０は、キャップ体９とカバー筒体１５との間に形成される隙間ｓに挿入されることにより、キャップ体９に外嵌状に組付けられ、この時、その縦突条２２はキャップ体９のローレット１４に係合する。この状態のまま装着具２０を操作して、キャップ体９を容器本体１の口筒部３に螺合組付けして、容器本体１とキャップ体９とカバー筒体１５の組み付けを達成する。なお、この組付け操作に際しては、係止突片８と係止片１９は、螺着方向には乗り越え可能な構成となっていることは、云うまでもない。
【００３９】
また、この装着具２０は、図２に示した実施形態例に対しても、同様に適用することができる。図２に示した他の実施形態例に適用する場合は、容器本体１とカバー筒体１５の組み合わせ物に対して、装着具２０に装着されたキャップ体９を、挿入組付けしながら、装着具２０を操作してキャップ体９を容器本体１の口筒部３に螺着させる。装着具２０によるキャップ体９の口筒部３への螺着が達成されたならば、そのまま装着具２０を引き上げて、キャップ体９から離脱させることにより、キャップ体９の容器本体１とカバー筒体１５の組み合わせ物に対する組付け操作が完了する。
【００４０】
以上、実施形態例に沿って本発明の構成とその作用効果について説明したが、本発明の実施の形態は上記実施形態例に限定されるものではない。例えば、カバー筒体１５の弱化部１６を一対設けるとしたが、一つまたは２つ以上の複数設けても良く、少なくとも一つ設けてあればよい。また、カバー筒体１５を容器本体１に連結部１８で一体設する手段として、連結部１８を容器本体１の肩段部７に設ける構成が示されているが、連結部１８による容器本体１とカバー筒体１５の一体連結は、容器本体１の肩部６とカバー筒体１５の下端縁との間で達成する構成としても良い。そして、キャップ体９はネジキャップに特定されることはなく、容器本体１に対する回動操作により着脱できるものであれば良い。さらに、容器本体１は、チューブ容器に特定されることはなく、ボトル状の容器であっも良い。
【産業上の利用可能性】
【００４１】
本発明の不正開封防止機能を備えたキャップ付き容器は、カバー筒体の除去前と除去後の容器の外観体裁がきわめて大きく変化して、その外観体裁の変化が一目で認識させられるので、高い不正開封防止機能を発揮することができ、不正開封防止機能を備えたキャップ付き容器として広い分野での適用を可能とすることができる。
【符号の説明】
【００４２】
１  ；容器本体
２  ；胴部
３  ；口筒部
４  ；ネジ部
５  ；ノズル部
６  ；肩部
７  ；肩段部
８  ；係止突片
９  ；キャップ体
１０；筒壁
１１；頂壁
１２；シール筒片
１３；シール栓片
１４；ローレット
１５；カバー筒体
１６；弱化部
１７；破断片
１８；連結部
１９；係止片
２０；装着具
２１；円筒部
２２；縦突条
ｓ  ；隙間
【図１】
0006497910.tif 000002
【図２】
0006497910.tif 000003
【図３】
0006497910.tif 000004
【図４】
0006497910.tif 000005